(57)【要約】【課題】据付作業の作業性を向上させ、据付作業の時間を短縮することができるエレベータ用かご、及びエレベータのかご据付方法を得る。【解決手段】エレベータ用かご２は、かご床７、及びかご床７の両端部に設けられている一対のかご枠側面ユニット２０を備えている。各かご枠側面ユニット２０は、かご床７に取り付けられている下梁２６、下梁２６の両端部に下端部が設けられ互いに距離を置いて配置されている一対の縦柱２７，２８、及び一対の縦柱２７，２８の上端部間に設けられている上梁２９を含む側面枠２３と、下梁２６に設けられ、ガイドレール１に対する下梁２６の位置を下梁２６に沿った方向について決める下部ガイド装置２４と、上梁２９に設けられ、ガイドレール１に対する上梁２９の位置を上梁２９に沿った方向について決める上部ガイド装置２５とを有している。【選択図】図２
2015000769.tif 000002
【特許請求の範囲】
【請求項１】
かご床、及び
上記かご床の両端部に設けられている一対のかご枠側面ユニット
を備え、
各上記かご枠側面ユニットは、上記かご床に取り付けられている下梁、上記下梁の両端部に下端部が設けられ互いに距離を置いて配置されている一対の縦柱、及び一対の上記縦柱の上端部間に設けられている上梁を含む側面枠と、上記下梁に設けられ、ガイドレールに対する上記下梁の位置を上記下梁に沿った方向について決める下部位置決め部と、上記上梁に設けられ、ガイドレールに対する上記上梁の位置を上記上梁に沿った方向について決める上部位置決め部とを有しているエレベータ用かご。
【請求項２】
上記下部位置決め部及び上記上部位置決め部は、上記ガイドレールに摺動可能なガイド装置とされている請求項１に記載のエレベータ用かご。
【請求項３】
上記ガイド装置は、上記ガイドレールと上記側面枠との間で弾性変形により縮められた弾性体を有している請求項２に記載のエレベータ用かご。
【請求項４】
各上記側面枠にそれぞれ取り付けられ、上記一対の縦柱と上記上梁と上記下梁とで囲まれる範囲に配置された一対の側面壁
をさらに備えている請求項１〜請求項３のいずれか一項に記載のエレベータ用かご。
【請求項５】
請求項１に記載のエレベータ用かごを一対の上記ガイドレール間に据え付けるエレベータのかご据付方法であって、
一対の上記ガイドレール間に配置されているかご支持梁上に一対の上記かご枠側面ユニットを載せ、上記ガイドレールに対する上記上部位置決め部及び上記下部位置決め部のそれぞれの位置を合わせるかご枠側面ユニット設置工程、及び
上記かご枠側面ユニット設置工程後、一対の上記かご枠側面ユニットのそれぞれの下梁間に上記かご床を取り付けるかご床取付工程、
を備えているエレベータのかご据付方法。
【請求項６】
上記かご枠側面ユニット設置工程では、側面壁を予め取り付けておいた上記かご枠側面ユニットを上記かご支持梁に載せる請求項５に記載のエレベータのかご据付方法。
【発明の詳細な説明】
【技術分野】
【０００１】
この発明は、エレベータ用かご、及びエレベータのかご据付方法に関するものである。
【背景技術】
【０００２】
従来、左右の立枠の下端部間に下枠が固定されているとともに、左右の立枠の上端部間に上枠が固定され、左右の立枠の上下にガイド装置がそれぞれ設けられているエレベータのかご枠構造が知られている。かご枠は、左右の立枠の上下に予め設けておいたガイド装置をガイドレールに嵌めた後、左右の立枠の下端部間に下枠を固定するとともに、左右の立枠の上端部間に上枠を固定することにより形成される（例えば、特許文献１参照）。
【先行技術文献】
【特許文献】
【０００３】
【特許文献１】特開２００１−１１４４８５号公報
【発明の概要】
【発明が解決しようとする課題】
【０００４】
しかしながら、特許文献１に示された従来のエレベータのかご枠では、ガイドレールにガイド装置を嵌めることで立枠の据付位置を決めることができるが、上枠、下枠及びかご床の固定を行う際の水平出しの調整作業については容易に行うことができないという問題があった。これにより、かごの据付作業に時間がかかってしまう。
【０００５】
この発明は、上記のような課題を解決するためになされたものであり、据付作業の作業性を向上させ、据付作業の時間を短縮することができるエレベータ用かご、及びエレベータのかご据付方法を得ることを目的とする。
【課題を解決するための手段】
【０００６】
この発明によるエレベータ用かごは、かご床、及びかご床の両端部に設けられている一対のかご枠側面ユニットを備え、各かご枠側面ユニットは、かご床に取り付けられている下梁、下梁の両端部に下端部が設けられ互いに距離を置いて配置されている一対の縦柱、及び一対の縦柱の上端部間に設けられている上梁を含む側面枠と、下梁に設けられ、ガイドレールに対する下梁の位置を下梁に沿った方向について決める下部位置決め部と、上梁に設けられ、ガイドレールに対する上梁の位置を上梁に沿った方向について決める上部位置決め部とを有している。
【発明の効果】
【０００７】
この発明によるエレベータ用かご、及びエレベータのかご据付方法によれば、下梁及び上梁に予め設けておいた下部位置決め部及び上部位置決め部をガイドレールに対して位置決めしながら側面枠を設置することができる。これにより、側面枠の設置作業と同時に、ガイドレールに対する側面枠の位置決め作業も行うことができる。また、各下梁にかご床を取り付けるときに下梁に沿ってかご床を配置することにより、かご床の取付作業と同時に、かご床の水平出しの作業も行うことができる。これにより、かごの据付作業の作業性を向上させ、かごの据付作業の時間を短縮することができる。
【図面の簡単な説明】
【０００８】
【図１】この発明の実施の形態１によるかごを示す斜視図である。
【図２】図１のかご枠、かご床及びかご天井を示す斜視図である。
【図３】図２のかご枠側面ユニットを示す斜視図である。
【図４】図２のかご支持梁が一対のガイドレール間に配置された状態を示す斜視図である。
【図５】図４のかご支持梁にかご枠側面ユニットが載せられた状態を示す斜視図である。
【図６】この発明の実施の形態２によるかご枠側面ユニットの側面枠に側面壁が取り付けられている状態を示す斜視図である。
【発明を実施するための形態】
【０００９】
実施の形態１．
図１は、この発明の実施の形態１によるかごを示す斜視図である。また、図２は、図１のかご枠、かご床及びかご天井を示す斜視図である。図において、昇降路内には、一対のガイドレール１が設置されている。一対のガイドレール１間には、かご２が設けられている。一対のガイドレール１は、かご２の幅方向について互いに対向している。かご２の前面部には、かご出入口３が設けられている。かご出入口３の間口方向は、かご２の幅方向と一致している。
【００１０】
かご２は、図示しない複数の主索（例えば、ロープまたはベルト等）によって昇降路内に吊り下げられている。主索は、図示しない巻上機の駆動綱車に巻き掛けられている。駆動綱車は、巻上機の駆動力によって回転される。かご２は、駆動綱車の回転により各ガイドレール１に沿って上下方向へ移動される。
【００１１】
また、かご２は、一対のガイドレール１間に水平に設けられたかご支持梁４（図２）と、かご支持梁４上に支持されたかご室５とを有している。かご室５は、かご枠６と、かご枠６の下部に設けられたかご床７と、かご枠６の上部に設けられたかご天井８と、かご枠６にそれぞれ設けられ、かご室５の両側面を形成する一対の側面壁（側面パネル）９と、かご枠６に設けられ、かご室５の背面を形成する背面壁（背面パネル）とを有している。
【００１２】
かご出入口３は、ドア装置により開閉される。かご出入口３の上部には、ドア装置の取付部（ドア装置取付部）１０が設けられている。ドア装置取付部１０は、かご枠６に取り付けられている。また、かご出入口３の間口方向一端部には戸当り柱１１が設けられ、かご出入口３の間口方向他端部には戸袋柱１２が設けられている。さらに、かご出入口３の上部には、かご室５内に露出する化粧板である幕板１３が設けられている。
【００１３】
かご出入口３の下部に位置するかご床７の部分は、図２に示すように、敷居取付用段差部７ａとされている。かご出入口３の下部には、図１に示すように、敷居取付用段差部７ａに固定されたかご敷居１４がかご出入口３の間口方向に沿って配置されている。かご敷居１４の乗場側の端面には、保護板としてのエプロン１５が設けられている。
【００１４】
かご支持梁４は、かご２の幅方向に沿って配置されている。かご支持梁４の長手方向両端部には、非常止め１６がそれぞれ設けられている。非常止め１６には、操作レバーが設けられている。各非常止め１６は、操作レバーが操作されることにより、ガイドレール１を把持する動作を行う。かご２は、各非常止め１６の把持動作によって、ガイドレール１に対して停止保持される。また、かご支持梁４には、主索が巻き掛けられる一対の吊り車１７が互いに離して設けられている。
【００１５】
かご枠６は、かご２の幅方向についてかご床７の両端部に配置された一対のかご枠側面ユニット２０と、一対のかご枠側面ユニット２０のそれぞれの上端部間を連結する連結梁２１及びつなぎ金２２（複数の連結部材２１，２２）とを有している。
【００１６】
図３は、図２のかご枠側面ユニット２０を示す斜視図である。かご枠側面ユニット２０は、側面枠２３と、側面枠２３の下部に設けられた下部ガイド装置（上部位置決め部）２４と、側面枠２３の上部に設けられた上部ガイド装置（上部位置決め部）２５とを有している。
【００１７】
側面枠２３は、かご支持梁４上に固定された下梁２６と、下梁２６の両端部に下端部がそれぞれ設けられた一対の縦柱２７，２８と、一対の縦柱２７，２８のそれぞれの上端部間に取り付けられた上梁２９とを有している。
【００１８】
下梁２６及び上梁２９は、かご２の奥行き方向に沿って配置されている。一対の縦柱２７，２８は、かご２の奥行き方向について互いに離して配置されている。また、各縦柱２７，２８は、下梁２６及び上梁２９のそれぞれに対して垂直に配置されている。この例では、一対の縦柱２７，２８のうち、かご出入口３に近い位置に配置された縦柱２７が前柱とされ、かご出入口３から離れた位置に配置された縦柱２８が後柱とされている。
【００１９】
下部ガイド装置２４は下梁２６に設けられ、上部ガイド装置２５は上梁２９に設けられている。下部ガイド装置２４及び上部ガイド装置２５は、図２に示すように、ガイドレール１の突出部に嵌った状態でガイドレール１に対して摺動可能に配置されている。かご２の奥行き方向（下梁２６に沿った方向）についてのガイドレール１に対する下梁２６の位置は、下部ガイド装置２４がガイドレール１の突出部に嵌ることにより決まり、かご２の奥行き方向（上梁２９に沿った方向）についてのガイドレール１に対する上梁２９の位置は、上部ガイド装置２５がガイドレール１の突出部に嵌ることにより決まる。
【００２０】
下部ガイド装置２４及び上部ガイド装置２５は、一対の縦柱２７，２８と平行な共通の仮想直線上にそれぞれ配置されている。これにより、下部ガイド装置２４及び上部ガイド装置２５がガイドレール１に嵌っている状態では、一対の縦柱２７，２８がガイドレール１と平行で、下梁２６及び上梁２９がガイドレール１に対して垂直に配置されている。ガイドレール１は、鉛直方向に沿って配置されている。従って、下部ガイド装置２４及び上部ガイド装置２５がガイドレール１に嵌っている状態では、一対の縦柱２７，２８の長手方向が鉛直方向になり、下梁２６及び上梁２９のそれぞれの長手方向が水平になっている。
【００２１】
かご２の奥行き方向についての敷居取付用段差部７ａから下部ガイド装置２４までの距離は、予め決められた距離（設定距離）となっている。これにより、下部ガイド装置２４及び上部ガイド装置２５がガイドレール１に嵌ることにより、かご２の奥行き方向についてのガイドレール１に対するかご床７の位置が自動的に決まる。
【００２２】
下部ガイド装置２４及び上部ガイド装置２５は、ガイドレール１に接触するガイドシューと、ガイドシューをガイドレール１に押圧する弾性体（例えば、ばねまたはゴム等）とをそれぞれ有している。ガイドレール１に対する側面枠２３の距離は、下部ガイド装置２４及び上部ガイド装置２５の弾性体の弾性変形により変化する。
【００２３】
連結梁２１及びつなぎ金２２は、各上梁２９間に配置されている。また、連結梁２１及びつなぎ金２２は、各上部ガイド装置２５の弾性体の弾性復元力を幅方向両側から各上梁２９を介して受けている。さらに、連結梁２１及びつなぎ金２２は、各上梁２９同士を連結している。連結梁２１は各上梁２９の長手方向中間部に取り付けられ、つなぎ金２２は各上梁２９のかご出入口３から離れた側の端部に取り付けられている。また、連結梁２１は、各上部ガイド装置２５同士を結ぶ直線（この例では、かご２の幅方向に沿った直線）上に配置されている。
【００２４】
かご床７は、各下梁２６間に各下梁２６に沿って配置されている。これにより、下部ガイド装置２４及び上部ガイド装置２５がガイドレール１に嵌った状態では、かご床７が水平に配置されている。また、かご床７は、各下部ガイド装置２４の弾性体の弾性復元力を幅方向両側から各下梁２６を介して受けている。さらに、かご床７は、各下梁２６に取り付けられている。
【００２５】
かご天井８は、各上梁２９間に各上梁２９に沿って配置されている。これにより、下部ガイド装置２４及び上部ガイド装置２５がガイドレール１に嵌った状態では、かご天井８が水平に配置されている。かご天井８は、一対の上梁２９及びつなぎ金２２に取り付けられている。
【００２６】
側面壁９は、各側面枠２３にそれぞれ取り付けられている。また、側面壁９は、下梁２６、一対の縦柱２７，２８及び上梁２９で囲まれた範囲に配置されている。かご背面壁は、一対の後柱２８、かご床７及びかご天井８に取り付けられている。
【００２７】
次に、かご２の据付方法について説明する。図４は、図２のかご支持梁４が一対のガイドレール１間に配置された状態を示す斜視図である。図５は、図４のかご支持梁４にかご枠側面ユニット２０が載せられた状態を示す斜視図である。かご据付前のかご枠側面ユニット２０には、上部ガイド装置２５と上梁２９との間、及び下部ガイド装置２４と下梁２６との間にスペーサをあらかじめ挿入しておく。
【００２８】
かご２を一対のガイドレール１間に据え付けるときには、まず、図４に示すように、一対のガイドレール１間にかご支持梁４を水平に保持する。このとき、各非常止め６を動作させて一対のガイドレール１間にかご支持梁４を保持してもよいし、昇降路のピットに設置した支持具（例えばジャッキ等）によって一対のガイドレール１間にかご支持梁４を保持してもよい（かご支持梁設置工程）。
【００２９】
この後、図５に示すように、一対のガイドレール１間に保持したかご支持梁４上に一対のかご枠側面ユニット２０を載せて、下部ガイド装置２４及び上部ガイド装置２５をガイドレール１の突出部に嵌める。この後、側面枠２３をガイドレール１に軽く押しつけた状態でかご枠側面ユニット２０の下梁２６をかご支持梁４に締結具（ボルト等）で仮止めしておく。下梁２６をかご支持梁４に仮止めしている状態では、かご枠側面ユニット２０がかご支持梁４に完全には固定されておらず、かご枠側面ユニット２０に力を加えると、かご枠側面ユニット２０がかご支持梁４上を決まった範囲だけ移動可能になっている（かご枠側面ユニット設置工程）。
【００３０】
この後、一対のかご枠側面ユニット２０間にかご床７を挿入し、かご床７を各下梁２６に取り付ける。このとき、各側面枠２３をガイドレール１側に押しながら一対のかご枠側面ユニット２０間の距離を広げ、下部ガイド装置２４の弾性体を縮めて弾性体に弾性復元力を発生させた状態で、かご床７を各下梁２６間に挿入する。また、このとき、かご床７を各下梁２６に沿って配置する。この後、下部ガイド装置２４の弾性体の弾性復元力で各下梁２６をかご床７に両側から押圧させ、かご床７を各下枠２６に取り付ける。この後、仮止めしていた各下梁２６をかご支持梁４に締結具の本締めにより固定する（かご床取付工程）。また、かご床７の取り付けと同様にして、連結梁２１及びつなぎ金２２を各上梁２９間に取り付ける。
【００３１】
連結梁２１及びつなぎ金２２を各上梁２９間に取り付けた後、一対のかご枠側面ユニット２０間にかご天井８を挿入し、かご天井８を各上梁２９及びつなぎ金２２に取り付ける。このとき、かご天井８を各上梁２９に沿って配置する（かご天井取付工程）。
【００３２】
この後、側面壁９を各側面枠２３に取り付けるとともに、かご背面壁をかご床７、かご天井８及び各後柱２８に取り付ける。また、戸当り柱１１、戸袋柱１２、かご幕板１３を側面枠２３に取り付け、敷居１４をかご床７の敷居取付用段差部７ａに取り付ける。敷居１４を敷居取付用段差部７ａに取り付けた後には、かご２の奥行き方向についての敷居１４からガイドレール１までの距離を測定し、かご２の据付位置が正しい位置にあるか否かを確認する。
【００３３】
この後、エプロン１５、一対の吊り車１７、ドア装置取付部１０及びドア装置等をかご２に取り付ける。この後、上部ガイド装置２５と上梁２９との間、及び下部ガイド装置２４と下梁２６との間に挿入されているスペーサを抜き取る。この後、下部ガイド装置２４を下梁２６に接触させて締結固定するとともに、上部ガイド装置２５を上梁２９に接触させて締結固定する。この後、各吊り車１７に主索を巻き掛け、一対のガイドレール１間でのかご支持梁４の保持を解除することにより、かご２の据付作業が完了する。
【００３４】
このようなかご２、及びかご２の据付方法では、側面枠２３の下梁２６及び上梁２９に下部ガイド装置２４及び上部ガイド装置２５が個別に設けられているので、側面枠２３を設置するときに、下梁２６及び上梁２９に予め設けておいた下部ガイド装置２４及び上部ガイド装置２５をガイドレール１に嵌めながら側面枠２３を設置することができる。これにより、側面枠２３の設置作業と同時に、ガイドレール１に対する側面枠２３の位置決め作業も行うことができる。また、各下梁２６にかご床７を取り付けるときに下梁２６に沿ってかご床７を配置することにより、かご床７の取付作業と同時に、かご床７の水平出しの作業も行うこともできる。さらに、各上梁２９にかご天井８を取り付けるときに上梁２９に沿ってかご天井８を配置することにより、かご天井８の取付作業と同時に、かご天井８の水平出しの作業も行うこともできる。このようなことから、かご２の据付作業の作業性を向上させ、かご２の据付作業の時間を短縮することができる。
【００３５】
また、側面枠２３にドア装置取付部１０が固定されているので、ガイドレール１に対してすでに位置決めされた側面枠２３を基準にしてドア装置を設置することができる。これにより、ドア装置取付部１０にドア装置を直接取り付けた場合でも、かご２に対するドア装置の位置の調整をかご２の奥行き方向及びかご２の高さ方向について不要にすることができ、ドア装置の設置作業を容易にすることができる。
【００３６】
また、下部ガイド装置２４及び上部ガイド装置２５によってガイドレール１に対する側面枠２３の位置決めが行われているので、位置決め具を下部ガイド装置２４及び上部ガイド装置２５と別に設ける必要がなくなり、部品点数の低減化を図ることができる。
【００３７】
また、下部ガイド装置２４及び上部ガイド装置２５は、ガイドレール１と側面枠２３との間で縮められた弾性体を有しているので、下部ガイド装置２４の弾性体の弾性復元力によってかご床７に対して各下梁２６を両側から押圧することができ、各下梁２６間にかご床７を隙間なく配置することができる。また、上部ガイド装置２５の弾性体の弾性復元力によって連結梁２１に対して各上梁２９を両側から押圧することもでき、各上梁２９間に連結梁２１を隙間なく配置することもできる。これにより、例えば、各下梁２６とかご床７との締結部分が少し緩んだ場合であっても、一方の下梁２６から他方の下梁２６への荷重の伝達をかご床７を介してより確実に行うことができるとともに、各上梁２９と連結梁２１との締結部分が少し緩んだ場合であっても、一方の上梁２９から他方の上梁２９への荷重の伝達を連結梁２１を介してより確実に行うことができる。従って、かご２の幅方向（左右方向）についての偏芯荷重に対して、各下梁２６の一方及び各上梁２９の他方のみによって荷重を支える（例えば、左側の下梁２６及び右側の上梁２９のみによって荷重を支える）のではなく、各下梁２６の他方及び各上梁２９の一方（例えば、右側の下梁２６及び左側の上梁２９）にもかご床７及び連結梁２１を介して荷重を伝えることができ、各下梁２６及び各上梁２９のそれぞれで荷重を支えることができる。これにより、各下梁２６とかご床７との締結部分、及び各上梁２９と連結梁２１との締結部分について、緩み防止のための摩擦保持機能を持たせる必要がなくなり、それぞれの締結部分の構造を簡素化することができる。
【００３８】
ここで、ガイドレール１に対する下部ガイド装置２４及び上部ガイド装置２５のそれぞれの押圧力が大きいままになっていると、かご２内に偏荷重が作用していない通常状態でも、下部ガイド装置２４及び上部ガイド装置２５のそれぞれとガイドレール１との間に大きな摩擦力が発生してしまう。従って、かご２の走行時には、下部ガイド装置２４及び上部ガイド装置２５のそれぞれとガイドレール１との間に発生する摩擦力による摺動ロスが大きくなってしまう。
【００３９】
上記の例では、かご２据付後に、下部ガイド装置２４と下梁２６との間に挿入されたスペーサを抜き取っているので、下部ガイド装置２４がガイドレール１に軽く触れている状態、または下部ガイド装置２４とガイドレール１との間に若干の隙間が存在している状態にすることができる。同様に、上部ガイド装置２５と上梁２９との間に挿入されたスペーサもかご２据付後に抜き取っているので、上部ガイド装置２５がガイドレール１に軽く触れている状態、または上部ガイド装置２５とガイドレール１との間に若干の隙間が存在している状態にすることができる。これらにより、上部ガイド装置２５及び下部ガイド装置２４のそれぞれとガイドレール１との間に発生する摩擦力を低減することができ、かご２の走行時に上部ガイド装置２５及び下部ガイド装置２４のそれぞれとガイドレール１との間に発生する摩擦力による摺動ロスを軽減することができる。
【００４０】
実施の形態２．
実施の形態１では、各かご枠側面ユニット２０をかご支持梁４上に設置した後に、側面壁９を側面枠２３に取り付けるようにしているが、各かご枠側面ユニット２０をかご支持梁４上に設置する前に、側面壁９を側面枠２３に取り付け、側面壁９を側面枠２３に取り付けた状態でかご枠側面ユニット２０をかご支持梁４上に設置するようにしてもよい。
【００４１】
図６は、この発明の実施の形態２によるかご枠側面ユニット２０の側面枠２３に側面壁９が取り付けられている状態を示す斜視図である。実施の形態２では、かご枠側面ユニット２０に側面壁９を工場で予め取り付けておく。側面壁９は１枚又は複数枚の壁パネルで構成されるが、壁パネル自体は同一部品の板曲げ加工によってほぼ長方形に成形されている。このため、側面壁９を取り付けた側面枠２３を組み立てるときに、側面壁９の四方の面を基準として、下梁２６、一対の縦柱２７，２８及び上梁２９を側面壁９の周囲に配置しやすくなる。これにより、下梁２６と上梁２９とを平行に配置し、かつ、一対の縦柱２７，２８を下梁２６及び上梁２９に対して垂直に配置しやすくすることができ、側面枠２３の組み立てが容易になる。
【００４２】
かご２を一対のガイドレール１間に据え付けるときには、まず、実施の形態１と同様にして、一対のガイドレール１間にかご支持梁４を水平に保持する（かご支持梁設置工程）。
【００４３】
この後、側面壁９をそれぞれ予め取り付けておいた一対のかご枠側面ユニット２０をかご支持梁４上に載せて、下部ガイド装置２４及び上部ガイド装置２５をガイドレール１の突出部に嵌める。この後、側面枠２３をガイドレール１に軽く押し付けた状態でかご枠側面ユニット２０の下梁２６をかご支持梁４にボルト等で仮止めする（かご枠側面ユニット設置工程）。この後の手順は、側面枠２３にすでに取り付けられている側面壁９の取り付け作業がないことを除き、実施の形態１と同様である。
【００４４】
このようなかご２の据付方法では、側面壁９を予め取り付けておいたかご枠側面ユニット２０をかご支持梁４上に載せるので、かご２の据付を行う現場において、かご枠側面ユニット２０に側面壁９を取り付ける手間をなくすことができる。これにより、かご２の据付作業の時間をさらに短縮することができる。
【００４５】
なお、各上記実施の形態では、かご枠６にそれぞれ取り付けられたかご天井８、一対の側面壁９及びかご背面壁によって、かご室５の天井、一対の側面及び背面が形成されているが、これに限定されず、かご枠６に取り付けずにかご枠６の内側に配置されたかご天井８、一対の側面壁９及びかご背面壁をかご床７上に設置して、かご室５の天井、一対の側面及び背面をかご枠６の内側に形成してもよい。
【００４６】
また、各上記実施の形態では、下部ガイド装置２４が下部位置決め部として用いられているが、下部ガイド装置２４とは別個の位置決め具（下部位置決め部）を下梁２６に設けてもよい。さらに、上部ガイド装置２５が上部位置決め部として用いられているが、上部ガイド装置２５とは別個の位置決め具（上部位置決め部）を上梁２９に設けてもよい。
【符号の説明】
【００４７】
１  ガイドレール、２  かご、３  かご出入口、４  かご支持梁、７  かご床、９  側面壁、２０  かご枠側面ユニット、２３  側面枠、２４  下部ガイド装置（下部位置決め部）、２５  上部ガイド装置（上部位置決め部）、２６  下梁、２７  前柱（縦柱）、２８  後柱（縦柱）、２９  上梁。
【図１】
2015000769.tif 000003
【図２】
2015000769.tif 000004
【図３】
2015000769.tif 000005
【図４】
2015000769.tif 000006
【図５】
2015000769.tif 000007
【図６】
2015000769.tif 000008